(57)【要約】【課題】ネットワーク品質の改善作業の効率化を実現する。【解決手段】移動体通信ネットワークに接続された最適化端末１００が、増設対象に指定された無線基地局１０３と、周辺の無線基地局１０４との位置関係や統計情報（ハンドオーバー回数等）に基づいて、前記指定された無線基地局１０３及び該無線基地局に隣接する無線基地局１０４の隣接セルリストを生成し、保守サーバー１０１に対して送信する。保守サーバー１０１は、最適化端末１００より受信した隣接セルリストを用いて、各無線基地局１０３、１０４の隣接セルリストの設定変更を行う。隣接セルリストの設定変更の後、増設対象に指定された無線基地局１０３の運用を開始し、必要に応じて測定車による走行試験を行う。【選択図】図１
2008153963.tif 000002
【特許請求の範囲】
【請求項１】
無線基地局から受信した隣接セルリストに基づいて各移動体端末が隣接セルサーチを実行する移動体通信ネットワークにおける隣接セルリストの設定方法であって、
前記移動体通信ネットワークに接続された隣接セル設定用端末が、指定された無線基地局及びその周辺の無線基地局の位置関係に基づいて、前記指定された無線基地局及び該無線基地局に隣接する無線基地局の隣接セルリストを生成し、前記移動体通信ネットワークの保守サーバーに対して送信するステップと、
前記保守サーバーが、前記隣接セル設定用端末より受信した隣接セルリストを用いて、前記各無線基地局の隣接セルリストをそれぞれ更新するステップと、を含むこと、
を特徴とする隣接セルリストの設定方法。
【請求項２】
前記指定された無線基地局及びその周辺の無線基地局の位置関係は、前記指定された無線基地局の増設情報として提供され、
前記隣接セル設定用端末は、無線基地局の増設時に設定する隣接セルリストを生成及び送信し、
前記保守サーバーは、前記隣接セルリストを用いて、前記増設される無線基地局及び該無線基地局に隣接する無線基地局の隣接セルリストをそれぞれ更新すること、
を特徴とする請求項１に記載の隣接セルリストの設定方法。
【請求項３】
前記隣接セル設定用端末は、前記指定された無線基地局及びその周辺の無線基地局の位置関係に加えて、前記指定された無線基地局周辺の既存セルの統計情報を用いて、前記隣接セルリスト上のセルの順序を決定すること、
を特徴とする請求項１又は２に記載の隣接セルリストの設定方法。
【請求項４】
前記統計情報は、各セルにおける各移動体端末のハンドオーバー試行回数情報を含み、
前記隣接セル設定用端末は、ハンドオーバー試行回数が多いセルを前記隣接セルリストの上位に配置すること、
を特徴とする請求項３に記載の隣接セルリストの設定方法。
【請求項５】
前記隣接セル設定用端末は、複数の移動体通信ネットワークのセルを含んだ隣接セルリストを生成し、前記各移動体通信ネットワークの保守サーバーに、前記隣接セルリストをそれぞれ送信し、
前記各移動体通信ネットワークの保守サーバーが、前記隣接セルリストをそれぞれ用いて、前記各無線基地局の隣接セルリストをそれぞれ更新すること、
を特徴とする請求項１乃至４に記載の隣接セルリストの設定方法。
【請求項６】
無線基地局から受信した隣接セルリストに基づいて各移動体端末が隣接セルサーチを実行する移動体通信ネットワークに接続された隣接セル設定用端末であって、
指定された無線基地局及びその周辺の無線基地局の位置関係に基づいて、前記指定された無線基地局及び該無線基地局に隣接する無線基地局の隣接セルリストを生成する隣接セルリスト生成手段と、
前記移動体通信ネットワークの保守サーバーに対して、前記各無線基地局の隣接セルリストを送信する隣接セルリスト送信手段と、を備えること、
を特徴とする隣接セル設定用端末。
【請求項７】
前記指定された無線基地局及びその周辺の無線基地局の位置関係は、前記指定された無線基地局の増設情報として提供され、
無線基地局の増設時に設定する隣接セルリストを生成及び送信すること、
を特徴とする請求項６に記載の隣接セル設定用端末。
【請求項８】
前記隣接セルリスト生成手段は、前記指定された無線基地局及びその周辺の無線基地局の位置関係に加えて、前記指定された無線基地局周辺の既存セルの統計情報を用いて、前記隣接セルリスト上のセルの順序を決定すること、
を特徴とする請求項６又は７に記載の隣接セル設定用端末。
【請求項９】
前記統計情報は、各セルにおける各移動体端末のハンドオーバー試行回数情報を含み、
前記隣接セルリスト生成手段は、ハンドオーバー試行回数が多いセルを前記隣接セルリストの上位に配置すること、
を特徴とする請求項８に記載の隣接セル設定用端末。
【請求項１０】
複数の移動体通信ネットワークに接続され、
隣接セルリスト生成手段は、前記複数の移動体通信ネットワークのセルを含んだ隣接セルリストを生成し
隣接セルリスト送信手段は、前記各移動体通信ネットワークの保守サーバーに、前記隣接セルリストをそれぞれ送信すること、
を特徴とする請求項６乃至９いずれか一に記載の隣接セル設定用端末。
【請求項１１】
請求項６乃至１０いずれか一に記載の隣接セル設定用端末に対し、無線基地局の指定と、該無線基地局周辺に所在する各無線基地局の位置関係を提供する保守サーバー。
【請求項１２】
無線基地局毎に既存セルの統計情報を収集し、
請求項８乃至１０いずれか一に記載の隣接セル設定用端末に対し、前記指定された無線基地局に関連する統計情報を提供する保守サーバー。
【請求項１３】
請求項６乃至１０いずれか一に記載の隣接セル設定用端末が接続されたこと、
を特徴とする移動体通信ネットワーク。
【発明の詳細な説明】
【技術分野】
【０００１】
本発明は、移動体通信ネットワークにおいて無線基地局から移動体端末に提供される隣接セルリストの設定方法、そのための隣接セル設定用端末、保守サーバー及び移動体通信ネットワークに関する。
【背景技術】
【０００２】
従来の移動体通信ネットワークで無線基地局（以下、増設に係る無線基地局を「増設局」、その既存の無線基地局を「既存局」とも称する。）を増設した場合、アンテナ角度調整や送信電力設定等の一応の初期設定を行って運用を開始し、その後に測定車に増設局の周辺を走らせる走行試験を実施することが行われている。この走行試験の解析結果に基づき隣接セルリストの設定変更を実施し、同じ走行ルートで改善効果を確認し、効果が無ければ、更なる設定変更を行う、という隣接セルリストの設定変更を、初期設定の抜けや優先順位が修正されるまで繰り返すことが行われている。
【０００３】
また、特許文献１は、上記基地局増設時の隣接セルリストの設定に言及していないが、上記隣接セルリストの最適化の重要性と、運用中に隣接セルリストを最適化するための方法が開示されている。
【０００４】
【特許文献１】特表２００５−５２２１５６号公報
【発明の開示】
【発明が解決しようとする課題】
【０００５】
上記走行試験は、増設対象の無線基地局の周辺の無線基地局における初期設定の抜け（端的には、隣接セルリストへの不追加）等を検知する手段として有効であるが、走行試験により不備が指摘されるまで、本来のネットワーク品質を出せない期間が生じてしまうという問題点がある。また、隣接セルリストの設定変更により即座に改善効果が確認されればよいが、効果が十分でない場合は、本来のネットワークの品質を出せない期間が一層長期化してしまう。
【０００６】
また、測定車による走行試験自体、多大な時間と費用を要するという問題点もある。そこで、より簡便かつ効率のよい隣接セル設定の方法が求められている。
【０００７】
本発明は、上記した事情に鑑みてなされたものであって、その目的とするところは、ネットワーク品質の改善作業の効率化を実現する隣接セルリストの設定方法、該方法の実施に用いる隣接セル設定用端末、保守サーバー及び移動体通信ネットワークを提供することにある。
【課題を解決するための手段】
【０００８】
本発明の第１の視点によれば、無線基地局から受信した隣接セルリストに基づいて各移動体端末が隣接セルサーチを実行する移動体通信ネットワークにおける隣接セルリストの設定方法であって、前記移動体通信ネットワークに接続された隣接セル設定用端末が、指定された無線基地局及びその周辺の無線基地局の位置関係に基づいて、前記指定された無線基地局及び該無線基地局に隣接する無線基地局の隣接セルリストを生成し、前記移動体通信ネットワークの保守サーバーに対して送信するステップと、前記保守サーバーが、前記隣接セル設定用端末より受信した隣接セルリストを用いて、前記各無線基地局の隣接セルリストをそれぞれ更新するステップと、を含むこと、を特徴とする隣接セルリストの設定方法が提供される。
【０００９】
本発明の第２の視点によれば、無線基地局から受信した隣接セルリストに基づいて各移動体端末が隣接セルサーチを実行する移動体通信ネットワークに接続された隣接セル設定用端末であって、指定された無線基地局及びその周辺の無線基地局の位置関係に基づいて、前記指定された無線基地局及び該無線基地局に隣接する無線基地局の隣接セルリストを生成する隣接セルリスト生成手段と、前記移動体通信ネットワークの保守サーバーに対して、前記各無線基地局の隣接セルリストを送信する隣接セルリスト送信手段と、を備えること、を特徴とする隣接セル設定用端末、及び、この隣接セル設定用端末に対し、隣接セルリストの生成のための情報を提供する保守サーバーが提供される。
【００１０】
本発明の第３の視点によれば、上記した隣接セル設定用端末が接続された移動体通信ネットワークが提供される。
【発明の効果】
【００１１】
本発明によれば、任意の無線基地局の周囲の隣接セルリストを漏れなく設定することが可能となる。また、無線基地局の増設時に本発明方法を利用すれば、走行試験前のネットワーク品質の一時的な低下を抑えることも可能となる。
【００１２】
また本発明によれば、走行試験による隣接セル設定の最適化作業も効率化される。その理由は、隣接セルリストを漏れなく設定した上で走行試験を行うことになり、大幅に隣接セルリストを変更する必要が無くなるためである。
【発明を実施するための最良の形態】
【００１３】
続いて、本発明を実施するための最良の形態について図面を参照して詳細に説明する。図１は、本発明の第１の実施形態に係る移動体通信ネットワークの概略構成を表した図である。図１を参照すると、本実施形態に係る移動体通信ネットワークは、最適化端末（隣接セル設定用端末）１００と、保守サーバー１０１と、無線ネットワーク制御局１０２と、増設対象の無線基地局１０３と、既存の無線基地局１０４と、を含んで構成されている。
【００１４】
最適化端末１００は、市販のパーソナルコンピューター等の情報処理装置であり、隣接セルリストの最適化サービスを提供するサービス事業者側に設置される。この最適化端末１００には、移動体通信事業者のサービス対象エリアの地図データベースが事前にインストールされており、任意の地域の地図データを表示可能となっている。また、最適化端末１００は、移動体通信事業者が保守サーバー１０１上に提供している増設情報にインターネット経由でアクセスし、前記地図データ上に表示する機能を備えている。
【００１５】
ここで、増設情報について説明する。増設情報には、例えば、増設対象の無線基地局１０３の位置、セル初期設定、その周辺で運用中の既存の無線基地局１０４の位置とセル設定等が含まれる。
【００１６】
最適化端末１００は、上記のような増設情報に基づき隣接セルリストを生成する機能（隣接セルリスト生成手段）と、生成した隣接セルリストをインターネット経由で保守サーバー１０１に送信する機能（隣接セルリスト送信手段）と、を備えている。前記各手段の詳細は、後記するとおりであり、最適化端末１００にて実行されるコンピュータプログラムによって実現される。
【００１７】
本発明の基本原理によれば、単一のサービス事業者（最適化端末１００）のみで十分であるが、複数のサービス事業者が参加することによって、移動体通信事業者は、より質の高いサービスを享受することが可能となる。以下本実施形態では、複数のサービス事業者がそれぞれ最適化端末１００を用意するものとして説明する。
【００１８】
保守サーバー１０１は、市販のワークステーション等の情報処理装置であり、移動体通信事業者側に設置・運用される。保守サーバー１０１は、既存の無線基地局の配下のセルのハンドオーバー回数等の統計情報を無線ネットワーク制御局１０２から収集する機能と、最適化サービスの入札又はトライアル等で評価され守秘義務に合意したサービス事業者にのみ、前記収集した統計情報を含む増設情報へのアクセスを許可する制限機能（認証機能）と、を備えている。
【００１９】
前記増設情報は、保守サーバー１０１側に設けたサービス事業者毎の専用フォルダを介して提供される。前記増設情報の更新は、アクセスが許可されたサービス事業者が登録されたメーリングリスト等を介して通知される。
【００２０】
保守サーバー１０１は、アクセス許可されたサービス事業者の中から選定されたサービス事業者の最適化端末１００から受信した隣接セルリストを基に、無線ネットワーク制御局１０２へセル設定コマンドを投入し、各無線基地局１０３、１０４の隣接セルリストを更新させる機能を備えている。
【００２１】
なお、保守サーバー１０１の取扱う情報量や処理量によっては、例えば、上記各機能毎に、複数のサーバーやクライアント端末を用意し、負荷を分散させることも可能であるが、以下、本実施形態では、保守サーバー１０１のみを用いるものとして説明する。
【００２２】
無線ネットワーク制御局１０２は、保守サーバー１０１からのセル設定コマンドに従い、制御対象となる無線基地局の配下の全セルの設定を制御する機能と、運用中のセルの設定情報と統計情報を収集し保守サーバー１０１へ送信する機能とを備えている。
【００２３】
無線基地局１０３、１０４は、上記無線ネットワーク制御局１０２からの制御に従って配下のセルの圏内にいる移動端末と無線通信する機能を備えている。セル１〜３は、新規に設置される無線基地局１０３の配下となるセルを表しており、セル４〜５は、既存の無線基地局１０４の配下のセルを表している。
【００２４】
続いて、本実施形態の動作について図面を参照して詳細に説明する。図２は、隣接セルリストの作成依頼から更新が行われるまでの一連の動作を表したフローチャートであり、図３は、最適化端末における隣接セルリストの作成処理の一例を説明するための図である。
【００２５】
まず、図２を参照すると、まず、移動体通信事業者は、希望するサービス事業者に対し、対象地域、（基地局の）増設計画、入出力データの送受信方法（保守サーバー１０１へのアクセス方法、専用メーリングアドレス、データフォーマット等）、予定価格等の概要条件を電子メールで連絡する（図２のステップＡ１）。
【００２６】
移動体通信事業者は、前記電子メール対し「参加」の応答があったサービス事業者の中から所定の業者選定基準に従って、サービス事業者を選定し、当該サービス事業者との合意内容等を保守サーバー１０１に登録する。サービス事業者も、最適化端末１００に、上記合意内容のほか、保守サーバー１０１へのアクセス方法、専用メーリングアドレス、データフォーマット等を登録する。
【００２７】
続いて、移動体通信事業者は、増設予定日、増設基地局とセル番号、既存基地局の設定等の詳細な増設情報を、保守サーバー１０１の専用フォルダへ登録し、希望するサービス事業者に対し増設情報の登録を更新したことを、専用メーリングリストで通知する（図２のステップＡ２）。
【００２８】
最適化端末１００は、前記通知を受けたサービス事業者の操作に従って、インターネット経由で保守サーバー１０１の専用フォルダにアクセスし、増設情報をダウンロードする（図２のステップＡ３）。なお、この増設情報が不完全な場合、サービス事業者は、前記専用メーリングリストを介して、移動体通信事業者に対し該当箇所のデータ追加要求を行う。反対に、この増設情報に不備が無ければ、サービス事業者は、前記専用メーリングリストを介して、移動体通信事業者に対し増設情報を受領した旨の受領確認通知を送信する。
【００２９】
続いて、保守サーバー１０１は、定期的に既存の無線基地局１０４から無線ネットワーク制御局１０２経由で自動収集している統計情報の中から、増設する無線基地局１０３に関連する部分を、保守サーバー１０１の専用フォルダへ保存する（図２のステップＡ４）。統計情報の登録も前記専用メーリングリストを介して、サービス事業者に通知される。
【００３０】
最適化端末１００は、前記通知を受けたサービス事業者の操作に従って、インターネット経由で保守サーバー１０１の専用フォルダにアクセスし、統計情報をダウンロードする（図２のステップＡ５）。なお、この統計情報が不完全な場合、サービス事業者は、前記専用メーリングリストを介して、移動体通信事業者に対し該当箇所のデータ追加要求を行う。反対に、この統計情報に不備が無ければ、サービス事業者は、前記専用メーリングリストを介して、移動体通信事業者に対し統計情報を受領した旨の受領確認通知を送信する。
【００３１】
続いて、移動体通信事業者は、前記専用メーリングリストを介して、サービス事業者に対し、隣接セルリスト作成を注文する（図２のステップＡ６）。注文可能な範囲は、当初の合意内容の範囲であり、例えば、隣接セルリストの作成対象となる無線基地局と締切日等を指定して行われる。なお、この注文内容に不備等がある場合、サービス事業者と移動体通信事業者間で、前記専用メーリングリストを介した調整が行われる。反対に、注文内容に不備等がない場合は、サービス事業者は、前記専用メーリングリストを介して、移動体通信事業者に対し正規に受注した旨の受注確認通知を送信する。
【００３２】
前記注文を受けたサービス事業者より操作を受けた最適化端末１００は、その注文内容と、保守サーバー１０１からダウンロードした増設情報と統計情報とに基づいて、隣接セルリストを作成する（図２のステップＡ７）。
【００３３】
ここで、図３を参照して、最適化端末１００における隣接セルリスト作成処理について説明する。まず、上記増設情報により、ある対象エリアの各セルの位置関係を把握することができる（図３の上段参照）。この位置関係から、増設局のセルに位置的に近いセルを順番に選択することにより隣接セルリストを作成することができる。
【００３４】
また、この位置関係だけでは順位付けが困難な場合は、統計情報からハンドオーバー試行回数の多いセルを優先することができる。ここで、増設局のセル１〜３は、未だ運用していないため、統計情報は無いため、ハンドオーバー試行回数は０として取扱われる。
【００３５】
図３の隣接セルリスト（例１）は、無線基地局１０３の増設により追加されるセル１の隣接セルリストである。隣接セルリスト（例１）では、セル１と同じ無線基地局内の隣接セル２〜３が一番近いので最優先として上位に配置されている（図３の「Ａ７−１」参照）。次いで、既存の隣接セルのうち、位置が近い既存の隣接セル４〜７は、統計情報からハンドオーバー試行回数の多い順に選択されたものとなっている（図３の「Ａ７−２」参照）。
【００３６】
図３の隣接セルリスト（例２）は、既存の無線基地局１０４の配下のセル５の隣接セルリストである。隣接セルリスト（例２）でも、セル５と同じ無線基地局内の隣接セル４が一番近いので最上位に配置されている（図３の「Ａ７−３」参照）。次いで、その他の隣接セルのうち、位置が近い隣接セル１、６は、統計情報からハンドオーバー試行回数の多い順に選択されたものとなっている（図３の「Ａ７−４」参照）。もちろん、セル５に他の既存の無線基地局のセル（図３で図示省略）が隣接する場合には、上記ハンドオーバー試行回数に応じて、セル６やセル１より上位に配置されることもある。
【００３７】
セル２とセル３の隣接セルリストも同様に作成され、同様の条件では、セル２の隣接セルリストは、「１、３、７」の順となり、セル３の隣接セルリストは、「１、２、４」の順となる。セル４、６、７の隣接セルリストも同様に作成され、同様の条件では、セル４の隣接セルリストは、「５、６、１」の順となり、セル６の隣接セルリストは、「７、５、１」となり、セル７の隣接セルリストは、「６、１、２」の順となる。
【００３８】
以上のようにして隣接セルリストの作成が完了すると、最適化端末１００は、サービス事業者の操作に従って、インターネット経由で保守サーバー１０１の専用フォルダに、前記作成した隣接セルリストをアップロードする（図２のステップＡ８）。その後、サービス事業者は、前記専用メーリングリストを介して、移動体通信事業者に対し隣接セルリストの作成が完了したことを連絡する。
【００３９】
その後、移動体通信事業者により、前記保守サーバー１０１の専用フォルダに登録された隣接セルリストの内容確認が行われる（図２のステップＡ９）。ここで、隣接セルリストに不備等がある場合は、サービス事業者と移動体通信事業者間で、前記専用メーリングリストを介した調整が行われる。隣接セルリストの内容に不備等がない場合は、移動体通信事業者は、前記専用メーリングリストを介して、サービス事業者に対し隣接セルリストの検収が完了したことを連絡するとともに、図２のステップＡ１で合意した条件に従い隣接セルリストの作成代金の支払処理を行う。
【００４０】
最後に、移動体通信事業者が、上記受領した隣接セルリストに基づき、変更すべき隣接セルのセル変更コマンドを保守サーバー１０１に入力することにより、無線ネットワーク制御局１０２（図１）を介し、各無線基地局の隣接セルの設定変更が完了する（ステップＡ１０）。
【００４１】
以上のとおり、本実施形態では、増設局の稼動前に、隣接セルリストを最適化しておくことが可能となり、測定車等を用いる走行試験で大幅に隣接セルを変更する必要が無くなり、またその解析結果を用いた最適化作業の効率化も達成される。
【００４２】
また、上記した実施形態では、移動体通信事業者や無線基地局装置の提供者（ベンダー）以外の第三者（サービス事業者）に、上記隣接セルリスト最適化作業を行わせることとしたため、無線基地局の更なる増設に依存しない客観的な隣接セル設定（現リソースを最大限に活用できる設定）を期待することが可能である。
【００４３】
続いて、異なる移動体通信ネットワークの隣接セルも含んだ隣接セルリストを作成できるようにした本発明の第２の実施形態について図面を参照して説明する。図４は、本発明の第２の実施形態の概略構成を表した図である。図４の最適化端末４００と、３Ｇ保守サーバー４０１と、３Ｇ無線ネットワーク制御局４０３、３Ｇ無線基地局４０５は、それぞれ、第１の実施形態の最適化端末１００、保守サーバー１０１、無線ネットワーク制御局１０２、増設対象の無線基地局１０３に対応する。
【００４４】
第二世代（２Ｇ）移動通信無線ネットワークは、２Ｇ保守サーバー４０２と、２Ｇ無線ネットワーク制御局４０４と、２Ｇ無線基地局４０６によって構成される。２Ｇ保守サーバー４０２は、上記した保守サーバー１０１と同様のサーバーであり、第２世代セル４〜５のハンドオーバー回数等の統計情報を２Ｇ無線ネットワーク制御局４０４から収集する機能と、所定のサービス事業者にのみ、前記収集した統計情報を含む増設情報へのアクセスを許可する制限機能（認証機能）と、を備えている。
【００４５】
無線ネットワーク制御局４０４は、２Ｇ保守サーバー４０２からのセル設定コマンドに従い、制御対象となる無線基地局の配下の全セル設定を制御する機能と、運用中のセル設定と統計情報を収集し２Ｇ保守サーバー４０２へ送信する機能とを備えている。
【００４６】
既存の２Ｇ無線基地局４０６は、上記無線ネットワーク制御局４０４からの制御に従って配下のセルの圏内にいる移動端末と無線通信する機能を備えている。セル４〜５は、既存の２Ｇ無線基地局４０６の配下のセルを表している。
【００４７】
続いて、本実施形態の動作について、図５のフローチャートを参照して詳細に説明する。まず、図５を参照すると、まず、移動体通信事業者は、希望するサービス事業者に対し、対象地域、（基地局の）増設計画、入出力データの送受信方法（３Ｇ保守サーバー４０１、２Ｇ保守サーバー４０２へのアクセス方法、専用メーリングアドレス、データフォーマット等）、予定価格等の概要条件を電子メールで連絡する（図５のステップＡ１）。
【００４８】
移動体通信事業者は、前記電子メール対し「参加」の応答があったサービス事業者の中から所定の業者選定基準に従って、サービス事業者を選定し、当該サービス事業者との合意内容等を３Ｇ保守サーバー４０１及び２Ｇ保守サーバー４０２に登録する。サービス事業者も、最適化端末４００に、上記合意内容のほか、３Ｇ保守サーバー４０１、２Ｇ保守サーバー４０２へのアクセス方法、専用メーリングアドレス、データフォーマット等を登録する。
【００４９】
続いて、移動体通信事業者は、増設予定日、増設基地局とセル番号、既存基地局の設定等の詳細な増設情報を、３Ｇ保守サーバー４０１、２Ｇ保守サーバー４０２にそれぞれ設けられた専用フォルダへ登録し、希望するサービス事業者に対し増設情報の登録を更新したことを、専用メーリングリストで通知する（図５のステップＡ２）。
【００５０】
ここでの増設情報には、例えば、増設対象の３Ｇ無線基地局４０５の位置、セル初期設定、その周辺で運用中の２Ｇ無線基地局４０６の位置とセル設定とが含まれている。
【００５１】
最適化端末４００は、前記通知を受けたサービス事業者の操作に従って、インターネット経由で３Ｇ保守サーバー４０１及び２Ｇ保守サーバー４０２の専用フォルダにアクセスし、増設情報をダウンロードする（図５のステップＡ３）。なお、この増設情報が不完全な場合、サービス事業者は、前記専用メーリングリストを介して、移動体通信事業者に対し該当箇所のデータ追加要求を行う。反対に、この増設情報に不備が無ければ、サービス事業者は、前記専用メーリングリストを介して、移動体通信事業者に対し増設情報を受領した旨の受領確認通知を送信する。
【００５２】
続いて、２Ｇ保守サーバー４０２は、定期的に既存の２Ｇ無線基地局４０６から２Ｇ無線ネットワーク制御局４０４経由で自動収集している統計情報の中から、増設する３Ｇ無線基地局４０５に関連する部分を、２Ｇ保守サーバー４０２の専用フォルダへ保存する（図５のステップＡ４）。統計情報の登録も前記専用メーリングリストを介して、サービス事業者に通知される。また、図５では省略されているが、第３世代移動体通信ネットワーク側にも既存の無線基地局がある場合も同様に、３Ｇ保守サーバー４０１により専用フォルダへの統計情報の保存が行われる。
【００５３】
最適化端末４００は、前記通知を受けたサービス事業者の操作に従って、インターネット経由で２Ｇ保守サーバー４０２や３Ｇ保守サーバー４０１の専用フォルダにアクセスし、統計情報をダウンロードする（図５のステップＡ５）。なお、この統計情報が不完全な場合、サービス事業者は、前記専用メーリングリストを介して、移動体通信事業者に対し該当箇所のデータ追加要求を行う。反対に、この統計情報に不備が無ければ、サービス事業者は、前記専用メーリングリストを介して、移動体通信事業者に対し統計情報を受領した旨の受領確認通知を送信する。
【００５４】
続いて、移動体通信事業者は、前記専用メーリングリストを介して、サービス事業者に対し、隣接セルリスト作成を注文する（図５のステップＡ６）。注文可能な範囲は、当初の合意内容の範囲であり、例えば、隣接セルリストの作成対象となる無線基地局と締切日等を指定して行われる。なお、この注文内容に不備等がある場合、サービス事業者と移動体通信事業者間で、前記専用メーリングリストを介した調整が行われる。反対に、注文内容に不備等がない場合は、サービス事業者は、前記専用メーリングリストを介して、移動体通信事業者に対し正規に受注した旨の受注確認通知を送信する。
【００５５】
前記注文を受けたサービス事業者より操作を受けた最適化端末４００は、その注文内容と、３Ｇ保守サーバー４０１又は２Ｇ保守サーバー４０２からダウンロードした増設情報と統計情報とに基づいて、隣接セルリストを作成する（図５のステップＡ７）。
【００５６】
本実施形態の隣接セルリスト作成処理における隣接セルリストの作成規則は、上記第１の実施形態で説明したものと同様のものを採用できる。また更に、上記した増設局のセルに位置的に近いか否かやハンドオーバー回数の大小に加えて、隣接するセル同士が属する移動体通信ネットワークが同一であるか否かや各セルが属する移動体通信ネットワークの種類により、隣接セルリスト上の配置を変更することも可能である。
【００５７】
以上のようにして隣接セルリストの作成が完了すると、最適化端末４００は、サービス事業者の操作に従って、インターネット経由で３Ｇ保守サーバー４０１及び２Ｇ保守サーバー４０２の専用フォルダに、前記作成した隣接セルリストをアップロードする（図５のステップＡ８）。その後、サービス事業者は、前記専用メーリングリストを介して、移動体通信事業者に対し隣接セルリストの作成が完了したことを連絡する。
【００５８】
その後、移動体通信事業者により、前記３Ｇ保守サーバー４０１及び２Ｇ保守サーバー４０２の専用フォルダに登録された隣接セルリストの内容確認が行われる（図５のステップＡ９）。ここで、隣接セルリストに不備等がある場合は、サービス事業者と移動体通信事業者間で、前記専用メーリングリストを介した調整が行われる。隣接セルリストの内容に不備等がない場合は、移動体通信事業者は、前記専用メーリングリストを介して、サービス事業者に対し隣接セルリストの検収が完了したことを連絡するとともに、図５のステップＡ１で合意した条件に従い隣接セルリストの作成代金の支払処理を行う。
【００５９】
最後に、移動体通信事業者が、上記受領した隣接セルリストに基づき変更すべき隣接セルのセル変更コマンドを３Ｇ保守サーバー４０１及び２Ｇ保守サーバー４０２に入力することにより、３Ｇ無線基地局４０５及び２Ｇ無線基地局４０６の隣接セルの設定変更が完了する（ステップＡ１０）。
【００６０】
以上のとおり、本発明は、相互にハンドオーバー可能な複数の移動体通信ネットワークのセルが混在する環境下における隣接セルリストの最適化にも適用可能である。
【００６１】
以上、本発明の好適な各実施形態について説明したが、本発明の技術的範囲は、上述した実施形態の記載に限定されるものではなく、移動体通信事業者等で設定された仕様等に応じて、各種の変形を加えることが可能である。例えば、上記した実施形態では、ハンドオーバー回数が多いセルを隣接セルリストの上位に配置するものとして説明したが、その他の統計情報を用いて、セルの順位を決定することも可能である。
【００６２】
また、上記した実施形態では、第三世代（３Ｇ）移動通信ネットワーク内でのセル増設（第１の実施形態）、第二世代（２Ｇ）移動体通信ネットワークに対する３Ｇセル増設（第２の実施形態）の例を挙げて説明したが、本発明は、２Ｇ移動体通信ネットワーク内でのセル増設時や第三世代（３Ｇ）移動通信ネットワーク内で異周波数の３Ｇセル増設時にも適用可能である。
【００６３】
また、上記した実施形態では、増設時における隣接セルリストの最適化を行うものとして説明したが、本発明の原理に鑑みれば、無線基地局の増設時に限定されず、改善すべきエリアの無線基地局を指定し、その周辺の隣接セル設定を見直し、最適化するといった用途にも適用可能である。
【００６４】
また、上記した実施形態では、最適化端末１００と保守サーバー１０１間の通信手段として、メーリングリストを用いるものとして説明したが、その他、一般の電子メールの送受信や移動体通信事業者が設けるインターネット上のサイトへの掲載等を介して各種連絡を行うことも可能である。また、もちろん、イントラネットや専用の通信システムを構築することも可能である。
【図面の簡単な説明】
【００６５】
【図１】本発明の第１の実施形態に係る移動体通信ネットワークの概略構成を表した図である。
【図２】本発明の第１の実施形態において、隣接セルリストの作成依頼から更新が行われるまでの一連の動作を表したフローチャートである。
【図３】隣接セルリストの作成処理の一例を説明するための図である。
【図４】本発明の第２の実施形態に係る移動体通信ネットワークの概略構成を表した図である。
【図５】本発明の第２の実施形態において、隣接セルリストの作成依頼から更新が行われるまでの一連の動作を表したフローチャートである。
【符号の説明】
【００６６】
１００、４００  最適化端末（隣接セル設定用端末）
１０１  保守サーバー
１０２  無線ネットワーク制御局
１０３  無線基地局（増設）
１０４  無線基地局（既存）
４０１  ３Ｇ保守サーバー
４０２  ２Ｇ保守サーバー
４０３  ３Ｇ無線ネットワーク制御局
４０４  ２Ｇ無線ネットワーク制御局
４０５  ３Ｇ無線基地局（増設）
４０６  ２Ｇ無線基地局（既存）
【図１】
2008153963.tif 000003
【図２】
2008153963.tif 000004
【図３】
2008153963.tif 000005
【図４】
2008153963.tif 000006
【図５】
2008153963.tif 000007